(57)【要約】【課題】騒音環境下においても、使用者ごとに明瞭な再生音声を提供し、周囲への迷惑を低減する。【解決手段】携帯電話装置等の通信装置において用いられ、使用者の発話音声及び相手からの受話音声の処理を行う音声処理装置であって、使用者の発話音声の音量を測定する発話音量測定部１８と、発話音声の音量が所定条件よりも大きい場合、例えば発話音声の音量が所定の閾値よりも大きい場合に、相手からの受話音声の音声強調を行う音声強調制御部の機能を有する受話音量決定部１９と、受話音声を出力する音声出力部１３と、を備える。音声強調を行う場合、使用者の聞こえやすい周波数、例えば使用者の聴力の周波数特性に応じて、受話音声において使用者の聴力レベルの高い周波数帯域を優先的に強調する。【選択図】図１
2012095047.tif 000002
【特許請求の範囲】
【請求項１】
使用者の発話音声及び相手からの受話音声の処理を行う音声処理装置であって、
前記発話音声の音量を測定する発話音量測定部と、
前記発話音声の音量が所定条件よりも大きい場合に、前記受話音声の音声強調を行う音声強調制御部と、
前記受話音声を出力する音声出力部と、
を備える音声処理装置。
【請求項２】
請求項１に記載の音声処理装置であって、
前記音声強調制御部は、前記発話音声の音量が所定の閾値よりも大きい場合に、前記受話音声の音声強調を行う音声処理装置。
【請求項３】
請求項１に記載の音声処理装置であって、
前記音声強調制御部は、前記発話音声の音量が前記使用者の通常の発話音声の音量よりも大きい場合に、前記受話音声の音声強調を行う音声処理装置。
【請求項４】
請求項１に記載の音声処理装置であって、
周囲雑音の音量を測定する周囲雑音測定部を備え、
前記音声強調制御部は、前記発話音声の音量と前記周囲雑音の音量との比が所定値よりも大きい場合に、前記受話音声の音声強調を行う音声処理装置。
【請求項５】
使用者の発話音声及び相手からの受話音声の処理を行う音声処理装置であって、
前記受話音声の音声強調を行う場合に、前記使用者の聞こえやすい周波数を優先的に強調する音声強調を行う音声強調制御部と、
前記受話音声を出力する音声出力部と、
を備える音声処理装置。
【請求項６】
請求項５に記載の音声処理装置であって、
前記音声強調制御部は、前記使用者の聴力の周波数特性に応じて、前記受話音声において使用者の聴力レベルの高い周波数帯域を優先的に強調する音声強調を行う音声処理装置。
【請求項７】
請求項６に記載の音声処理装置であって、
前記使用者の聴力を測定してこの使用者の聴力の周波数特性を示す聴力特性情報を保持する聴力特性測定部を備える音声処理装置。
【請求項８】
請求項６に記載の音声処理装置であって、
予め取得された前記使用者の聴力の周波数特性を示す聴力特性情報を保持する聴力特性情報保持部を備える音声処理装置。
【請求項９】
請求項５に記載の音声処理装置であって、
周囲雑音の音量を測定する周囲雑音測定部を備え、
前記音声強調制御部は、前記受話音声において前記受話音声の音量と前記周囲雑音の音量との比が所定値よりも大きい周波数帯域を優先的に強調する音声強調を行う音声処理装置。
【請求項１０】
請求項５に記載の音声処理装置であって、
周囲雑音の音量を測定する周囲雑音測定部を備え、
前記音声強調制御部は、前記使用者の聴力の周波数特性と前記周囲雑音の周波数特性とに応じて、前記受話音声において使用者の聴力レベルが高く、前記周囲雑音の音量が小さい周波数帯域を優先的に強調する音声強調を行う音声処理装置。
【請求項１１】
請求項１に記載の音声処理装置であって、
前記音声強調制御部は、前記発話音声の音量が所定条件よりも大きい場合に、前記受話音声において前記使用者の聞こえやすい周波数を優先的に強調する音声強調を行う音声処理装置。
【発明の詳細な説明】
【技術分野】
【０００１】
本発明は、例えば携帯電話装置等の携帯型装置における音声信号の強調処理を行う音声処理装置に関する。
【背景技術】
【０００２】
携帯電話装置等の移動可能な携帯型装置では、様々な環境での利用が想定される。そのため、人ごみなど騒音環境下で利用されることも日常的に頻繁に起こり得る。騒音環境下において通話を行う場合、周囲の騒音（周囲雑音）によって、通話相手の音声が聞き取りにくくなってしまうという課題がある。これは、周囲雑音によるマスキング効果によって、携帯型装置から再生出力される音声の明瞭度が低下するために生じる現象である。
【０００３】
上記課題を解決するために、従来より騒音環境下の受話音声に関する音声強調技術が検討されている。例えば、特許文献１には、受話音声からホルマント周波数を検出し、受話音声についてホルマント周波数を強調する受話音声処理装置が開示されている。また、特許文献２には、周囲雑音の特性と送話者の音声の特性の双方に基づいて音声を強調する音声強調装置が開示されている。これらの従来例では、受話音声の特性、周囲雑音の音量や特性に応じて、受話音声を強調することで、明瞭度を向上させている。
【先行技術文献】
【特許文献】
【０００４】
【特許文献１】特開２０１０−９２０５７号公報
【特許文献２】特開２００４−２８９６１４号公報
【発明の概要】
【発明が解決しようとする課題】
【０００５】
上述したような従来技術では、周囲雑音の状況、すなわち周囲の騒音の音量や特性に応じて、或いは、通話相手の音声の特性に基づいて、音声強調を行っていた。しかし、騒音環境下における使用者の聞こえ方は、人それぞれであり、全ての使用者に適した音声強調にはなっていない。結果として、周囲雑音の状況、或いは使用者によっては、音声強調による明瞭度の改善が十分とは言えず、通話相手の音声が不明瞭になる課題が十分に解決されないことがある。
【０００６】
さらには、携帯型装置から再生出力される通話相手の音声が不明瞭であることに起因して、携帯型装置の使用者自身の声が大きくなる傾向があり、そのことが周囲への迷惑行為として受け取られるということが起こり得る。
【０００７】
本発明は、上記事情に鑑みてなされたもので、その目的は、騒音環境下においても、使用者ごとに明瞭な再生音声を提供し、周囲への迷惑を低減することにある。
【課題を解決するための手段】
【０００８】
本発明は、使用者の発話音声及び相手からの受話音声の処理を行う音声処理装置であって、前記発話音声の音量を測定する発話音量測定部と、前記発話音声の音量が所定条件よりも大きい場合に、前記受話音声の音声強調を行う音声強調制御部と、前記受話音声を出力する音声出力部と、を備える。
【０００９】
また、本発明は、上記の音声処理装置であって、前記音声強調制御部は、前記発話音声の音量が所定の閾値よりも大きい場合に、前記受話音声の音声強調を行うものを含む。
【００１０】
また、本発明は、上記の音声処理装置であって、前記音声強調制御部は、前記発話音声の音量が前記使用者の通常の発話音声の音量よりも大きい場合に、前記受話音声の音声強調を行うものを含む。
【００１１】
また、本発明は、上記の音声処理装置であって、周囲雑音の音量を測定する周囲雑音測定部を備え、前記音声強調制御部は、前記発話音声の音量と前記周囲雑音の音量との比が所定値よりも大きい場合に、前記受話音声の音声強調を行うものを含む。
【００１２】
本発明は、使用者の発話音声及び相手からの受話音声の処理を行う音声処理装置であって、前記受話音声の音声強調を行う場合に、前記使用者の聞こえやすい周波数を優先的に強調する音声強調を行う音声強調制御部と、前記受話音声を出力する音声出力部と、を備える。
【００１３】
また、本発明は、上記の音声処理装置であって、前記音声強調制御部は、前記使用者の聴力の周波数特性に応じて、前記受話音声において使用者の聴力レベルの高い周波数帯域を優先的に強調する音声強調を行うものを含む。
【００１４】
また、本発明は、上記の音声処理装置であって、前記使用者の聴力を測定してこの使用者の聴力の周波数特性を示す聴力特性情報を保持する聴力特性測定部を備えるものを含む。
【００１５】
また、本発明は、上記の音声処理装置であって、予め取得された前記使用者の聴力の周波数特性を示す聴力特性情報を保持する聴力特性情報保持部を備えるものを含む。
【００１６】
また、本発明は、上記の音声処理装置であって、周囲雑音の音量を測定する周囲雑音測定部を備え、前記音声強調制御部は、前記受話音声において前記受話音声の音量と前記周囲雑音の音量との比が所定値よりも大きい周波数帯域を優先的に強調する音声強調を行うものを含む。
【００１７】
また、本発明は、上記の音声処理装置であって、周囲雑音の音量を測定する周囲雑音測定部を備え、前記音声強調制御部は、前記使用者の聴力の周波数特性と前記周囲雑音の周波数特性とに応じて、前記受話音声において使用者の聴力レベルが高く、前記周囲雑音の音量が小さい周波数帯域を優先的に強調する音声強調を行うものを含む。
【００１８】
また、本発明は、上記の音声処理装置であって、前記音声強調制御部は、前記発話音声の音量が所定条件よりも大きい場合に、前記受話音声において前記使用者の聞こえやすい周波数を優先的に強調する音声強調を行うものを含む。
【００１９】
上記構成により、使用者が発する発話音声の音量が大きい場合に、受話音声の音声強調を行うことで、当該装置の使用者にとって適した音声強調が可能である。また、受話音声の音声強調を行う場合に、使用者の聞こえやすい周波数、例えば、使用者ごとの聴力の周波数特性、周囲雑音の周波数特性などに応じて、使用者が聞こえやすい周波数を優先的に強調することで、当該装置の使用者にとって適した音声強調が可能である。特に、それぞれの使用者にとって聴力レベルが高く聞こえやすい周波数を重点的に強調することで、受話音声の明瞭度を向上できる。これらの機能により、騒音環境下においても、使用者ごとに明瞭な再生音声を提供することができ、通話相手の受話音声を聞こえやすくすることが可能となる。
【発明の効果】
【００２０】
本発明によれば、騒音環境下においても、使用者ごとに明瞭な再生音声を提供し、周囲への迷惑を低減することができる。
【図面の簡単な説明】
【００２１】
【図１】本発明の第１の実施形態に係る音声処理装置を備える通信装置の構成を示すブロック図
【図２】第１の実施形態における音声強調契機を説明する特性図
【図３】本発明の第２の実施形態に係る音声処理装置を備える通信装置の構成を示すブロック図
【図４】第２の実施形態の変形例の音声処理装置を備える通信装置の構成を示すブロック図
【図５】使用者の聴力の周波数特性の例を示す特性図
【図６】受話音声の周波数特性の例を示す特性図
【図７】第２の実施形態における音声強調方法の第１例を示す特性図
【図８】第２の実施形態における音声強調方法の第２例を示す特性図
【図９】本発明の第３の実施形態に係る音声処理装置を備える通信装置の構成を示すブロック図
【図１０】第３の実施形態における音声強調契機を説明する特性図
【図１１】第３の実施形態における音声強調方法の例を示す特性図
【発明を実施するための形態】
【００２２】
以下の実施形態では、一例として、携帯電話装置、携帯通信端末等の携帯型装置を構成する通信装置において本発明の音声処理装置を適用した構成例を示す。なお、使用者が相手の音声の聴取（受話）及び相手に対する自身の音声の発声（発話）をして会話（通話）を行うものであれば、いずれの装置にも適用可能である。
【００２３】
人の会話における特性として、会話相手の声が聞こえ難いときに、自身の話声が大きくなるという傾向がある。また、人によって、聞こえやすい或いは聞こえにくい周波数帯域が異なることが知られている。
【００２４】
本実施形態では、このような人の特性を利用して、音声処理装置において、相手の音声を強調する音声強調処理を行う。
【００２５】
音声強調の契機としては、使用者が発話する音声の音量に基づき、所定条件よりも発話音声の音量が大きい場合に、受話音声の音声強調を行う。本実施形態の音声強調契機の例を以下に示す。
【００２６】
（Ａ１）使用者の発話音声の音量（話し声の音声）が、予め設定した閾値よりも大きい場合に、受話音声の音声強調を行う。
（Ａ２）使用者の通常の発話音声の音量（通常の話し声の音声）の情報を保持し、発話音声の音量が通常よりも大きい場合に、受話音声の音声強調を行う。
（Ａ３）使用者の発話音声の音量（話し声の音声）と、周囲雑音の音量との比が、予め設定した閾値より大きい場合に、受話音声の音声強調を行う。
【００２７】
音声強調の方法としては、周波数特性を考慮し、各周波数帯域において、使用者の聞こえやすい周波数及び聞こえにくい周波数を特定し、受話音声において聞こえやすい周波数を優先的に強調する音声強調を行う。本実施形態の音声強調方法の例を以下に示す。
【００２８】
（Ｂ１）予め取得した使用者の聴力の周波数特性を示す聴力特性情報を用いて、この聴力特性に応じて、受話音声において使用者の聴力レベルの高い（聞こえやすい）周波数帯域を優先的に強調する。聴力特性情報は、事前に使用者ごとの聴力の周波数特性を測定して取得するか、あるいは、いずれかの手段で取得された使用者の聴力の周波数特性を保持しておく。
（Ｂ２）受話音声及び周囲雑音の周波数特性に基づき、受話音声の音量と周囲雑音の音量との比が所定値よりも大きい周波数帯域を、使用者にとって聞こえやすい周波数とし、受話音声においてこの周波数帯域を優先的に強調する。
（Ｂ３）使用者の聴力の周波数特性と周囲雑音の周波数特性とに応じて、周囲雑音の音量が小さく、使用者の聴力レベルの高い（聞こえやすい）周波数帯域を優先的に強調する。
【００２９】
なお、本実施形態の音声強調処理は、周囲雑音の状況とは関係なく行うものを優先的に用いているが、周囲雑音の状況を加味して音声強調を行うようにしてもよい。また、音声強調の方法において、聞こえにくい周波数（例えば高周波数成分など）の強調を含めるようにしてもよい。音声強調に関する機能の詳細については以下の各実施形態において説明する。
【００３０】
（第１の実施形態）
図１は本発明の第１の実施形態に係る音声処理装置を備える通信装置の構成を示すブロック図である。本実施形態の通信装置は、例えば携帯電話装置を構成するものであり、使用者が他の電話装置（携帯電話装置または固定電話装置）との間で通話を行う機能を有している。第１の実施形態の通信装置１０は、通信受信部１１、音声データ復号部１２、音声出力部１３、音声入力部１４、音声データ符号部１５、通信送信部１６、アンテナ１７、発話音量測定部１８、及び受話音量決定部１９を有している。
【００３１】
通信受信部１１は、受信ＲＦ部、復調部等を有し、アンテナ１７で受信した無線通信信号の受信処理を行う。通信受信部１１では、受信信号に関してＲＦ帯域からベースバンド帯域への周波数変換、復調処理等が行われ、復調後の受信データが出力される。音声データ復号部１２は、受信データ中の符号化された音声データの復号処理を行い、復号後の受話音声の音声データを出力する。
【００３２】
音声出力部１３は、周波数特性調整部、ＤＡ変換部、増幅部、レシーバまたはスピーカ等を有し、周波数帯域ごとに所定の音量に調整した受話音声の音声信号を再生出力して受話音声を放音する。音声出力部１３より出力された受話音声は、使用者の耳によって聴取（受話）される。
【００３３】
使用者の口より発声（発話）した発話音声は、音声入力部１４によって入力される。音声入力部１４は、マイクロフォン、増幅部、ＡＤ変換部等を有し、使用者の発話音声を取り込んで発話音声の音声データを出力する。
【００３４】
音声データ符号部１５は、音声データの符号化処理を行い、符号化された発話音声の音声データを出力する。通信送信部１６は、変調部、送信ＲＦ部等を有し、音声データを含む送信データの送信処理を行い、送信信号をアンテナ１７を介して送信する。通信送信部１６では、送信データに関して変調処理、ベースバンド帯域からＲＦ帯域への周波数変換等が行われ、変調後の送信信号がアンテナ１７に出力され、無線通信信号としてアンテナ１７より放射される。
【００３５】
発話音量測定部１８は、音声入力部１４に入力された使用者の発話音声の音量を測定し、発話音量情報を受話音量決定部１９に出力する。ここで、音声入力部１４に入力される使用者の発話音声信号をｓｔ０、音声入力部１４から出力される発話音声データをｓｔ１とする。発話音量測定部１８は、発話音声データｓｔ１に基づいて使用者の発話音量ｓｔｖを決定し、発話音量ｓｔｖを表す発話音量情報を出力する。
【００３６】
受話音量決定部１９は、音声出力部１３から出力する受話音声の周波数帯域ごとの音量を決定し、受話音量設定情報を音声出力部１３に与える。音声出力部１３は、受話音量設定情報に基づき、周波数帯域ごとに音量調整した受話音声を再生出力する。この際、受話音量決定部１９は、発話音量測定部１８で測定された発話音量情報に基づき、発話音量ｓｔｖが所定値よりも大きい場合に、受話音声の音声強調を行うものとし、音声強調時の受話音量設定情報を出力する。このように、受話音量決定部１９は、音声強調制御部の機能を実現するものである。ここで、音声出力部１３に入力される通話相手の受話音声データをｓｒ１、音声出力部１３から出力される受話音声信号をｓｒ２とする。音声出力部１３は、受話音量設定情報に基づき、受話音声データｓｒ１について周波数帯域ごとに音量調整を行う。
【００３７】
次に、受話音声の音声強調を行う音声強調契機について説明する。図２は第１の実施形態における音声強調契機を説明する特性図である。図２において、横軸は時間、縦軸は音量（ボリューム）であり、時間軸での発話音声データｓｔ１（ｔ）の一例が示されている。受話音量決定部１９は、発話音声データｓｔ１（ｔ）に関して、発話音量ｓｔｖが所定の閾値ＶＴより大きくなった場合、通話相手の音声が聞こえにくく使用者の発話音声が大きくなった状態であると判定する。そしてこの条件を音声強調契機とし、受話音声の音声強調を行う。音声強調の具体的な方法については他の実施形態で説明する。
【００３８】
閾値ＶＴは、上述した音声強調契機の例（Ａ１）に対応させて、予め設定した所定の音量レベルとすればよい。なお、上述した音声強調契機の例（Ａ２）に対応させて、予め使用者の通常の発話音声の音量レベルをメモリ等に保持しておき、この音量レベルに対して所定値だけ大きな音量レベルを閾値ＶＴに設定してもよい。
【００３９】
このように、第１の実施形態では、使用者が発する発話音声の音量が大きい場合に、受話音声の音声強調を行うことで、当該装置の使用者にとって適した音声強調が可能である。これにより、騒音環境下においても、使用者ごとに明瞭な再生音声を提供することができ、通話相手の受話音声を聞こえやすくすることができる。また、使用者が大声で発話することを抑制し、周囲への迷惑を低減できる。
【００４０】
（第２の実施形態）
図３は本発明の第２の実施形態に係る音声処理装置を備える通信装置の構成を示すブロック図である。第２の実施形態の通信装置２０は、図１に示した第１の実施形態の構成に加えて、聴力特性測定部２１を備え、受話音量決定部２２の機能が一部異なっている。その他の構成は第１の実施形態と同様であり、同様の構成要素には同一符号を付して説明を省略し、ここでは異なる部分を中心に説明する。
【００４１】
聴力特性測定部２１は、使用者を被験者とした聴力測定を行い、使用者の聴力の周波数特性を測定するものである。聴力特性測定部２１は、可聴域を複数の周波数帯域に分割し、それぞれの周波数において使用者が聞こえる音量レベルの閾値（聴覚閾値）などを求めることで、聴力の周波数特性を測定する。例えば、聴力検査の要領で、特定の周波数のテスト音（純音など）を音量レベルを変化させながら順次出力し、これを複数の周波数において実行し、各テスト音に対する使用者からの聴取の可否の応答入力に基づいて、周波数帯域ごとの聴力特性を求める。この聴力特性の測定は、通話の使用に先立って事前に実施する。そして、使用者の聴力の周波数特性ａ（ｆ）を表す聴力特性情報をメモリ等に保持しておき、受話音量決定部２２からの要求に応じてこの聴力特性情報を音声強調用に出力する。
【００４２】
受話音量決定部２２は、第１の実施形態と同様の音声強調契機に従って、発話音量測定部１８で測定された発話音量情報に基づき、発話音量ｓｔｖが所定値よりも大きい場合に、受話音声の音声強調を行うものとし、音声強調時の受話音量設定情報を出力する。ここで、受話音量決定部２２は、聴力特性測定部２１から出力される聴力特性情報を用いて、使用者の聴力の周波数特性に応じた音声強調を行うための受話音量設定情報を生成する。このように、受話音量決定部２２は、音声強調制御部の機能を実現するものである。
【００４３】
図４は第２の実施形態の変形例の音声処理装置を備える通信装置の構成を示すブロック図である。第２の実施形態の変形例の通信装置２５は、図３に示した第２の実施形態の構成と比べて、聴力特性測定部２１の代わりに聴力特性情報保持部２３を備えている。その他の構成は第２の実施形態と同様である。
【００４４】
聴力特性情報保持部２３は、いずれかの手段によって取得された使用者の聴力の周波数特性ａ（ｆ）を表す聴力特性情報を保持するもので、受話音量決定部２２からの要求に応じてこの聴力特性情報を音声強調用に出力する。聴力特性情報保持部２３は、内蔵のメモリ装置、着脱可能な記憶媒体などによって構成される。また、聴力特性情報を入力するための外部とのインタフェースを備えていてもよい。
【００４５】
次に、受話音声の音声強調を行う音声強調方法について説明する。図５は使用者の聴力の周波数特性の例を示す特性図である。聴力特性測定部２１または聴力特性情報保持部２３に保持される使用者の聴力の周波数特性ａ（ｆ）を表す聴力特性情報は、例えば図５に示すようなものとなる。図５の例は、可聴域を６つの周波数帯域に分割し、それぞれの周波数帯域における聴力レベルを示したものである。ここで、聴力レベルが高い（大きい）ほど、より小さい音量の音が聞こえるものとする。図５では、中音域が良く聞こえており、高音域が少し聞こえにくい使用者の聴力特性が示されている。
【００４６】
図６は受話音声の周波数特性の例を示す特性図である。図６において、横軸は周波数、縦軸は音量（ボリューム）であり、周波数軸での受話音声データｓｒ１（ｆ）の一例が示されている。受話音量決定部２２は、音声強調を行う場合、聴力の周波数特性ａ（ｆ）に応じて受話音声データｓｒ１（ｆ）の周波数特性を調整した受話音量設定情報を生成する。
【００４７】
図７は第２の実施形態における音声強調方法の第１例を示す特性図である。第１例は、上述した音声強調方法の例（Ｂ１）に対応するもので、使用者の聴力特性において聴力レベルが高い周波数帯域、すなわち使用者にとって聞こえやすい周波数を優先的に強調する音声強調を行う。この場合、聴力の周波数特性ａ（ｆ）に応じて、受話音声データｓｒ１（ｆ）に対して図中矢印で示すように、使用者にとって聞こえやすい周波数である中音域の音量を持ち上げて強調する。使用者の聴力レベルが高い周波数を強調することで、受話音声をより明瞭に聞こえやすくすることができる。音声出力部１３は、受話音量決定部２２からの受話音量設定情報に基づき、中音域を強調する音量調整を行った受話音声信号ｓｒ２（ｆ）を再生出力する。図では、簡単のため、受話音声信号ｓｒ２（ｆ）は強調を行う周波数部分の所定帯域ごとの平均レベルを示している。
【００４８】
図８は第２の実施形態における音声強調方法の第２例を示す特性図である。本実施形態の音声強調方法において、聞こえにくい周波数の強調を含めるようにしてもよい。第２例は、使用者の聴力特性において聴力レベルが低い周波数帯域、すなわち使用者にとって聞こえにくい周波数を強調する音声強調を行う。この第２例を第１例と組み合わせることも可能である。この場合、聴力の周波数特性ａ（ｆ）に応じて、受話音声データｓｒ１（ｆ）に対して図中矢印で示すように、使用者にとって聞こえにくい周波数である高音域の音量を持ち上げて強調する。使用者の聴力レベルが低い周波数を強調することで、受話音声をより自然な状態で聞こえやすくすることができる。音声出力部１３は、受話音量決定部２２からの受話音量設定情報に基づき、高音域を強調する音量調整を行った受話音声信号ｓｒ２（ｆ）を再生出力する。図では、簡単のため、受話音声信号ｓｒ２（ｆ）は強調を行う周波数部分の所定帯域ごとの平均レベルを示している。
【００４９】
このように、第２の実施形態では、予め使用者の聴力の周波数特性を測定等によって取得し、使用者ごとの聴力の周波数特性に応じて、使用者が聞こえやすい周波数を優先的に強調する受話音声の音声強調を行うことで、当該装置の使用者にとって適した音声強調が可能である。特に、それぞれの使用者にとって聴力レベルが高く聞こえやすい周波数を重点的に強調することで、受話音声の明瞭度を向上できる。これにより、騒音環境下においても、使用者ごとに明瞭な再生音声を提供することができ、通話相手の受話音声を聞こえやすくすることができる。また、使用者が大声で発話することを抑制し、周囲への迷惑を低減できる。
【００５０】
（第３の実施形態）
図９は本発明の第３の実施形態に係る音声処理装置を備える通信装置の構成を示すブロック図である。第３の実施形態の通信装置３０は、図３に示した第２の実施形態の構成に加えて、周囲雑音測定部３１を備え、受話音量決定部３２の機能が一部異なっている。その他の構成は第１及び第２の実施形態と同様であり、同様の構成要素には同一符号を付して説明を省略し、ここでは異なる部分を中心に説明する。
【００５１】
周囲雑音測定部３１は、音声入力部１４に入力された音声の中から抽出された周囲雑音成分の音量を測定し、周囲雑音音量情報を受話音量決定部３２に出力する。ここで、音声入力部１４から出力される周囲雑音データをｓｎ１とする。周囲雑音測定部３１は、周囲雑音データｓｎ１に基づいて周囲雑音音量ｓｎｖを決定し、周囲雑音音量ｓｎｖを表す周囲雑音音量情報を出力する。また、周囲雑音測定部３１は、周囲雑音の周波数特性ｓｎ１（ｆ）を表す周囲雑音特性情報を出力する。
【００５２】
受話音量決定部３２は、発話音量測定部１８で測定された発話音量情報と周囲雑音測定部３１で測定された周囲雑音音量情報とに基づき、発話音量ｓｔｖと周囲雑音音量ｓｎｖとの比が所定値よりも大きい場合に、受話音声の音声強調を行うものとし、音声強調時の受話音量設定情報を出力する。ここで、受話音量決定部３２は、周囲雑音測定部３１から出力される周囲雑音特性情報を用いて、周囲雑音の周波数特性ｓｎ１（ｆ）に応じた音声強調を行うための受話音量設定情報を生成する。このように、受話音量決定部３２は、音声強調制御部の機能を実現するものである。なお、聴力特性測定部２１から出力される聴力特性情報を用いて、使用者の聴力の周波数特性ａ（ｆ）に応じた音声強調を含むようにしてもよい。周囲雑音の周波数特性に応じた音声強調と使用者の聴力の周波数特性に応じた音声強調とを組み合わせることも可能である。
【００５３】
次に、受話音声の音声強調を行う音声強調契機について説明する。図１０は第３の実施形態における音声強調契機を説明する特性図である。図１０において、横軸は時間、縦軸は音量（ボリューム）であり、時間軸での発話音声データｓｔ１（ｔ）及び周囲雑音データｓｎ１（ｔ）の一例が示されている。受話音量決定部３２は、上述した音声強調契機の例（Ａ３）に対応させて、発話音声データｓｔ１（ｔ）及び周囲雑音データｓｎ１（ｔ）に関して、発話音量ｓｔｖと周囲雑音音量ｓｎｖとの比Ｒが所定の閾値ＲＴより大きくなった場合、通話相手の音声が聞こえにくく周囲雑音に対して使用者の発話音声が大きくなった状態であると判定する。そしてこの条件を音声強調契機とし、受話音声の音声強調を行う。閾値ＲＴは、予め設定した所定のＳＮＲ（Signal to Noise Ratio）とすればよい。
【００５４】
次に、受話音声の音声強調を行う音声強調方法について説明する。図１１は第３の実施形態における音声強調方法の例を示す特性図である。この例は、上述した音声強調方法の例（Ｂ２）に対応するもので、受話音声及び周囲雑音の周波数特性に基づき、受話音声と周囲雑音との音量比が大きい周波数帯域、すなわち受話音声に対して周囲雑音が小さく聞こえやすい周波数を優先的に強調する音声強調を行う。この場合、周囲雑音の周波数特性ｓｎ１（ｆ）に応じて、受話音声データｓｒ１（ｆ）に対して図中矢印で示すように、周囲雑音が小さい周波数である低音域の音量を持ち上げて強調する。音声出力部１３は、受話音量決定部３２からの受話音量設定情報に基づき、低音域を強調する音量調整を行った受話音声信号ｓｒ２（ｆ）を再生出力する。図では、簡単のため、受話音声信号ｓｒ２（ｆ）は強調を行う周波数部分の所定帯域ごとの平均レベルを示している。
【００５５】
また、上述した音声強調方法の例（Ｂ３）に対応させて、使用者の聴力の周波数特性と周囲雑音の周波数特性とを考慮し、周囲雑音の音量が小さく、使用者の聴力レベルの高い周波数帯域、すなわち現在の騒音環境下で使用者にとって聞こえやすい周波数を優先的に強調することも可能である。この場合、使用者の聴力の周波数特性と周囲雑音の周波数特性とに応じて、受話音声をさらに明瞭に聞こえるようにすることが可能である。
【００５６】
このように、第３の実施形態では、使用者の発話音声の音量と周囲雑音の音量との比が大きい場合に、周囲雑音の周波数特性に応じて、周囲雑音が小さく使用者が聞こえやすい周波数を強調する受話音声の音声強調を行うことで、当該装置の使用者にとって適した音声強調が可能である。これにより、騒音環境下においても、使用者ごとに明瞭な再生音声を提供することができ、通話相手の受話音声を聞こえやすくすることができる。また、使用者が大声で発話することを抑制し、周囲への迷惑を低減できる。
【００５７】
なお、本発明は、本発明の趣旨ならびに範囲を逸脱することなく、明細書の記載、並びに周知の技術に基づいて、当業者が様々な変更、応用することも本発明の予定するところであり、保護を求める範囲に含まれる。また、発明の趣旨を逸脱しない範囲で、上記実施形態における各構成要素を任意に組み合わせてもよい。
【産業上の利用可能性】
【００５８】
本発明は、騒音環境下においても、使用者ごとに明瞭な再生音声を提供し、周囲への迷惑を低減することが可能となる効果を有し、例えば携帯電話装置等の携帯型装置における音声信号の強調処理を行う音声処理装置等として有用である。
【符号の説明】
【００５９】
１０、２０、２５、３０  通信装置
１１  通信受信部
１２  音声データ復号部
１３  音声出力部
１４  音声入力部
１５  音声データ符号部
１６  通信送信部
１７  アンテナ
１８  発話音量測定部
１９、２２、３２  受話音量決定部
２１  聴力特性測定部
３１  周囲雑音測定部
【図１】
2012095047.tif 000003
【図２】
2012095047.tif 000004
【図３】
2012095047.tif 000005
【図４】
2012095047.tif 000006
【図５】
2012095047.tif 000007
【図６】
2012095047.tif 000008
【図７】
2012095047.tif 000009
【図８】
2012095047.tif 000010
【図９】
2012095047.tif 000011
【図１０】
2012095047.tif 000012
【図１１】
2012095047.tif 000013